(57)【要約】【課題】居室空間と半屋外空間とが、連続した空間のように感じることのできる住宅を提供すること。【解決手段】壁部（５）を境界にして隣接する居室空間（３）と半屋外空間（４）とを備える。居室空間（３）と半屋外空間（４）とは、勾配屋根（２）の勾配に沿った勾配を有する勾配天井部（３２，３４）の下方に位置している。居室空間（３）と半屋外空間（４）とを区切る壁部（５）は、勾配天井部（３２）における勾配の途中位置にて勾配天井部（３２）と交差し、壁部（５）と勾配天井部（３２）との交差部分を視認可能とする視認可能部（５１）を有する。【選択図】図２
2016113879.tif 000002
【特許請求の範囲】
【請求項１】
壁部を境界にして隣接する居室空間と半屋外空間とを備え、
前記居室空間と前記半屋外空間とは、勾配屋根の勾配に沿った勾配を有する勾配天井部の下方に位置し、
前記居室空間と前記半屋外空間とを区切る前記壁部は、前記勾配天井部における勾配の途中位置にて当該勾配天井部と交差しており、前記勾配天井部との交差部分を視認可能とする視認可能部を有する、住宅。
【請求項２】
前記勾配天井部の頂部が、前記居室空間内に位置している、請求項１に記載の住宅。
【請求項３】
前記視認可能部は、透明材料で形成されている、請求項１または２に記載の住宅。
【請求項４】
前記視認可能部は、前記壁部の水平方向における全幅にわたって形成される、請求項１〜３のいずれかに記載の住宅。
【請求項５】
前記住宅は平面視形状が多角形状であり、
前記半屋外空間は、前記住宅の角部に位置するインナーバルコニーである、請求項１〜４のいずれかに記載の住宅。
【請求項６】
前記半屋外空間に位置する前記勾配天井部は、床部から上方に延びる柱によって支持されている、請求項１〜５のいずれかに記載の住宅。
【請求項７】
前記居室空間の床部および前記半屋外空間の床部は、同じ高さである、請求項１〜５のいずれかに記載の住宅。
【請求項８】
前記居室空間の床部および前記半屋外空間の床部は、木調である、請求項１〜７のいずれかに記載の住宅。
【請求項９】
前記居室空間の前記勾配天井部および前記半屋外空間の前記勾配天井部は、木調である、請求項１〜８のいずれかに記載の住宅。
【発明の詳細な説明】
【技術分野】
【０００１】
この発明は、半屋外空間を備えた住宅に関する。
【背景技術】
【０００２】
従来から、居室につながる屋外空間として、半屋外空間が設けられた住宅が存在する。特開平１１−６２２７８号公報（特許文献１）には、このような住宅において、勾配屋根を切り欠いて半屋外空間としてのバルコニーを設けることが開示されている。
【先行技術文献】
【特許文献】
【０００３】
【特許文献１】特開平１１−６２２７８号公報
【発明の概要】
【発明が解決しようとする課題】
【０００４】
特許文献１のような住宅は、単に、採光性と通気性を重視した構造であり、居室空間から半屋外空間にかけた空間の拡がりを意識した構造ではない。したがって、居室空間とバルコニーとは、それぞれ独立した空間となっている。また、勾配屋根が切り欠かれているため、住宅の外観の意匠性も劣る。
【０００５】
本発明は、上記のような課題を解決するためになされたものであって、その目的は、居室空間と半屋外空間とが、連続した空間のように感じることのできる住宅を提供することである。
【課題を解決するための手段】
【０００６】
この目的のため、本発明の一態様に係る住宅は、壁部を境界にして隣接する居室空間と半屋外空間とを備える。居室空間と半屋外空間とは、勾配屋根の勾配に沿った勾配を有する勾配天井部の下方に位置している。居室空間と半屋外空間とを区切る壁部は、勾配天井部における勾配の途中位置にて当該勾配天井部と交差しており、勾配天井部との交差部分を視認可能とする視認可能部を有する。
【０００７】
好ましくは、勾配天井部の頂部が、居室空間内に位置している。
【０００８】
好ましくは、視認可能部は、透明材料で形成されている。
【０００９】
好ましくは、視認可能部は、壁部の水平方向における全幅にわたって形成される。
【００１０】
好ましくは、住宅は平面視形状が多角形状であり、半屋外空間は、住宅の角部に位置するインナーバルコニーである。
【００１１】
好ましくは、半屋外空間に位置する勾配天井部は、床部から天井部に延びる柱によって支持されている。
【００１２】
好ましくは、居室空間の床部および半屋外空間の床部は、同じ高さである。
【００１３】
好ましくは、居室空間の床部および半屋外空間の床部は、木調である。
【００１４】
好ましくは、居室空間の勾配天井部および半屋外空間の勾配天井部は、木調である。
【発明の効果】
【００１５】
本発明の一態様によれば、居室空間と半屋外空間とが、連続した空間のように感じることができる。
【図面の簡単な説明】
【００１６】
【図１】実施の形態に係る住宅の外観を模式的に示す図である。
【図２】実施の形態に係る住宅の構造例を模式的に示す図である。
【図３】実施の形態に係る住宅の構造例を模式的に示す斜視図である。
【図４】実施の形態に係る住宅の他の構造例を模式的に示す図である。
【発明を実施するための形態】
【００１７】
本発明の一態様に係る実施の形態について図面を参照しながら詳細に説明する。なお、図中同一または相当部分には同一符号を付してその説明は繰り返さない。
【００１８】
本実施の形態に係る住宅は、勾配屋根を備えている。一般的な勾配屋根では、その下階の天井部は、小屋梁の部分に水平に配置される。これに対し、本実施の形態では、勾配屋根の裏に位置する天井部は、勾配屋根の勾配に沿った勾配を有する勾配天井部である。
【００１９】
本実施の形態において「勾配屋根」とは、勾配を有する屋根であればよく、切妻屋根、寄棟屋根、片流れ屋根などを含む。
【００２０】
以下に、図１〜３を参照して、本実施の形態に係る住宅１について詳細に説明する。
【００２１】
本実施の形態に係る住宅１は、平面視形状が多角形状の２階建て住宅であり、居室空間３と半屋外空間４とは、壁部５を境界にして隣接して設けられている。これらの空間３，４は、２階に位置する空間であり、勾配天井部２１の下方に位置する。勾配天井部２１は、たとえば、切妻屋根である勾配屋根２の裏面を構成する。勾配天井部２１は、頂部３３を境として、一方側に傾斜する勾配天井部３２と、勾配天井部３２の他方側に傾斜する勾配天井部３４とを含む。ここで、勾配天井部２１の頂部３３とは、典型的には、勾配屋根２の棟木２０が配置される部分に相当する。頂部３３は、居室空間３内に位置していることが望ましい。このような構成とすることで、居室空間３の空間の高さ方向の拡がりを演出することができる。
【００２２】
図１および図３に示すように、半屋外空間４は、たとえば、住宅１の正面側の角部に位置するインナーバルコニーである。半屋外空間４は、たとえば、幅Ａ１が５４００ｍｍ以上６１００ｍｍ以下であり、奥行きＡ２が３６００ｍｍ以上４１００ｍｍ以下である。なお、住宅１が１階建ての場合には、半屋外空間４は、たとえば、インナーテラスであってもよい。また、居室空間３は、リビングルームやダイニングルームなど居住者が集う空間であることが望ましい。このような構成とすることで、居住者に対し、居室空間３の空間の拡がりを効果的に感じさせることができる。なお、住宅１の正面の玄関６は、たとえば、勾配屋根２の妻側１１に設けられている。
【００２３】
壁部５は、勾配天井部２１における勾配の途中位置にて勾配天井部３２と交差している。具体的には、一方側に傾斜する勾配天井部３２は、壁部５を境として、居室空間３上に位置する勾配天井部３２１と半屋外空間４上に位置する勾配天井部（軒天）３２２とを有している。
【００２４】
半屋外空間４の勾配天井部３２２は、床部４１から上方に延びる柱４３によって支持されていてもよい。柱４３は、構造柱であるか否かは問わない。また、柱４３は、表面に化粧を施した化粧柱であることが好ましい。柱４３は、半屋外空間４の角部付近に配置されている。また、床部４１の外縁に沿って、腰壁として機能する木調のスクリーンフェンス４４が設けられていてもよい。なお、半屋外空間４上に位置する屋根部分（軒部）は、床部４１の外縁位置よりも屋外方向に延出していてもよい。
【００２５】
図２に示されるように、壁部５は、勾配天井部３２との交差部分を視認可能とする視認可能部５１を有する。視認可能部５１は、居室空間３と半屋外空間４とを区切る壁部５の水平方向における全幅にわたって形成されることが望ましい。このような構成とすることで、居室空間３の空間における水平方向の拡がりを演出することができる。視認可能部５１は、たとえば、壁部５の上端部にのみ設けられている。
【００２６】
視認可能部５１は、透明材料で形成されている。典型的には、視認可能部５１は、上端縁が勾配天井部３２に交差する透明の窓である。より具体的には、視認可能部５１は、たとえば、一対の横枠および下枠によって支持されたはめ殺しのガラス窓でもよいし、開閉可能なガラス窓で構成されていてもよいし、ガラスが設けられていない単なる開口であってもよい。あるいは、視認可能部５１は、窓を支持する透明な上枠を含んでいてもよい。
【００２７】
視認可能部５１の下方側には、掃き出し窓５２が設けられる。掃き出し窓５２は、その上下左右に位置する枠部材５３によってスライド可能に支持されている。枠部材５３のうち上枠は、視認可能部５１の下枠と一体であってもよい。
【００２８】
なお、壁部５と勾配天井部３２との交差部分が視認可能に設けられさえすれば、視認可能部５１は、壁部５全体に形成されていてもよい。たとえば、視認可能部５１は、透明な枠部材とそれにはめ込まれた透明な掃き出し窓とで構成されてもよい。
【００２９】
このような構造とされることで、空間として居室空間３と半屋外空間４とで分かれているにもかかわらず、居室空間３の勾配天井部３２１と半屋外空間４の勾配天井部３２２とが視認可能部５１を介して連続する。これにより、居室空間３からだけでなく、半屋外空間４からも視覚的な拡がりを演出することができ、開放的な空間を実現することができる。
【００３０】
また、上述のように、住宅１の正面側の角部に半屋外空間４が配置されている。したがって、住宅１の正面から勾配天井部３２２（軒天）の拡がりが見えるため、外観に落ち着きとおおらかさのある印象を与えることができる。その結果、住宅１の意匠性を向上させることができる。
【００３１】
さらに、居室空間３の床部３１と、半屋外空間４の床部４１は、同じ高さである。そのため、半屋外空間４は、インナーバルコニーでありながら、居室空間３と半屋外空間４との連続感により、縁側空間のような雰囲気を醸し出すことができる。また、図２に表わされるように、居室空間３の床部３１上にソファ３５等の人が腰かけられる家具を配置してもよい。このようにすることで、木調のスクリーンフェンス４４越しに庭の植栽７を見ることができるため、屋外の自然を身近に感じることができる。
【００３２】
半屋外空間４をより縁側空間のような空間とするために、それぞれの空間３，４の床部３１，４１を同じ木調とすることが望ましい。さらに、勾配天井部３２１，３２２も同じ木調とすることが望ましい。このとき、図２に示されるように、床部３１，４１を構成する板状部材の向き、および、勾配天井部３２を構成する板状部材の向きを、奥行き方向に沿うようにすることが望ましい。このようにすることで、居室空間３が半屋外空間４に向かって延びているような印象を与え、居室空間３と半屋外空間４との連続感をより十分に演出することができる。なお、床部３１，４１および勾配天井部３２の少なくとも一方は、木調でなくてもよく、同じ色調であればよい。
【００３３】
なお、本実施の形態では、勾配屋根２は、主棟屋根であることとしたが、これに限定されない。つまり、半屋外空間４は、主棟屋根以外の勾配屋根の下に配置されていてもよい。たとえば、図４の半屋外空間４Ａに示されるように、半屋外空間４Ａを１階の付属棟屋根の下に設けてもよい。また、半屋外空間４Ｂに示されるように、１階と２階とが吹き抜けとなっている場合、半屋外空間４Ｂを主棟屋根の葺き下ろし部の下に設けてもよい。このとき、１階に位置する半屋外空間４Ａ，４Ｂは、車庫として利用してもよい。
【００３４】
また、本実施の形態では、勾配天井部２１の頂部３３が居室空間３内に位置する例をしたが、限定的ではない。この場合、勾配屋根２は、片流れ屋根であってもよい。
【００３５】
また、本実施の形態では、半屋外空間４を住宅１の角部に形成したが、限定的ではない。たとえば、半屋外空間４は、住宅１の全幅にわたって形成してもよい。
【００３６】
あるいは、本実施の形態では、半屋外空間４の屋根（勾配屋根２のうち勾配天井部３２２を有する部分）、すなわち軒部は、床部４１から上方に延びる柱４３によって支持されるとしたが、柱無しの持ち出し屋根であってもよいし、柱の代わりに袖壁が形成されることとしてもよい。柱４３によって支持される場合および柱無しの持ち出し屋根とする場合は、半屋外空間４の視界を遮らないようにすることができる。あるいは、視界が遮られたとしても、化粧柱の代わりに袖壁が形成されていてもよい。
【００３７】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。
【符号の説明】
【００３８】
１  住宅、２  勾配屋根、３  居室空間、４  半屋外空間、５  壁部、６  玄関、７  植栽、１１  妻側、２０  棟木、２１  勾配天井部、  ３１  床部、３２  勾配天井部、３３  頂部、３４  勾配天井部、３５  ソファ、４１  床部、４３  柱、４４  スクリーンフェンス、５１  視認可能部、５２  掃き出し窓、５３  枠部材、３２１，３２２  勾配天井部。
【図１】
2016113879.tif 000003
【図２】
2016113879.tif 000004
【図３】
2016113879.tif 000005
【図４】
2016113879.tif 000006